(57)【要約】【課題】人間の足底アーチに対応する形状を有し、かつ足底アーチの横アーチの頂点に対応する部分に凸部を有する足底板を、靴底又は靴底に敷くインソールに正確かつ簡単に位置合わせして装着できる足底板の装着方法を提供すること。【解決手段】足底板４の凸部４ｂと対応する形状を有し、かつ凸部４ｂの頂点に対応する位置に転写手段を有する凸部材を、前記転写手段の位置が横アーチの頂点の位置と一致するように人間の足底に貼着し、凸部材を貼着した状態で、足底を靴底又はインソール２に位置合わせして押圧することで、前記転写手段によって横アーチの頂点の位置を靴底又はインソール２に転写痕３として転写し、靴底又はインソール２に転写された転写痕３の位置と、足底板４の凸部４ｂの頂点の位置が一致するように、足底板４を靴底又はインソール２に位置合わせして装着する。【選択図】図３
2008093116.tif 000002
【特許請求の範囲】
【請求項１】
人間の足底アーチに対応する形状を有し、かつ足底アーチの横アーチの頂点に対応する部分に凸部を有する足底板を、靴底又は靴底に敷くインソールに位置合わせして装着する足底板の装着方法であって、
前記足底板の前記凸部と対応する形状を有し、かつ前記凸部の頂点に対応する位置に転写手段を有する凸部材を、前記転写手段の位置が横アーチの頂点の位置と一致するように人間の足底に貼着する工程と、
前記凸部材を貼着した状態で、足底を靴底又はインソールに位置合わせして押圧することで、前記転写手段によって横アーチの頂点の位置を靴底又はインソールに転写する工程と、
靴底又はインソールに転写された横アーチの頂点の位置と、前記足底板の前記凸部の頂点の位置が一致するように、前記足底板を靴底又はインソールに位置合わせして装着する工程とを含む足底板の装着方法。
【請求項２】
前記転写手段が前記凸部材の底面に設けらており、前記凸部材を人間の足底に貼着する工程において、前記凸部材の底面が露出するように貼着する請求項１に記載の足底板の装着方法。
【請求項３】
前記転写手段が前記凸部材の底面に設けられた突起である請求項２に記載の足底板の装着方法。
【発明の詳細な説明】
【技術分野】
【０００１】
本発明は、人間の足底アーチに対応する形状を有し、かつ足底アーチの横アーチの頂点に対応する部分に凸部を有する足底板を、靴底又は靴底に敷くインソールに位置合わせして装着する足底板の装着方法に関する。
【背景技術】
【０００２】
二足直立歩行を行う人間の足底には、図８に示すように、踵骨６と種子骨７との間に弓形の「足底アーチ」と呼ばれる構造が形成されている。そして、足底アーチには、図９に示すように、縦アーチ（内側と外側）と横アーチがあり、足底の踵、小指、親指の３点を結ぶ３本の線が立体的な弧を描く曲面となっている。
【０００３】
この足底アーチは、頭蓋から、頸椎、腰椎、骨盤、大腿骨、膝蓋骨、及び下腿骨を経て人間の体重を支え、直立姿勢を保持する上で、非常に重要な働きをしている。したがって、足底アーチが崩れ、人間の土台が崩れると、頭蓋までの正しい直立姿勢が保持できなくなり、膝の痛み、腰痛、猫背等の原因になり、また、内臓を圧迫する姿勢となって万病を引き起こす原因にもなる。さらに、足底アーチは、歩行時にスプリングの役割をして歩行時の衝撃を和らげ、また、人間が行動を起こそうとするときに体重の数倍かかる動的荷重を分散させている。加えて、足底アーチが正常に発達した状態では、歩くたびに足底アーチの伸縮によって血液（静脈血）を持ち上げるという、第３の心臓と呼ばれるポンプの役割も果たしている。
【０００４】
このように、正常な足底アーチの保持は、人間の健康にとって非常に重要であり、この足底アーチを保持するために、従来、例えば特許文献１に記載されているように、足底アーチに対応する凹凸部を有する足底板を靴底や靴の中敷等として使用することが行われている。
【０００５】
この足底板の使用は、足底アーチの保持・形成に有効な手段ではあるが、これを有効に機能させるためには、足底板を使用者の足底の形状に適合させる必要があり、とくに、足底板の凸部の位置を、横アーチの頂点に合わせることが重要である。すなわち、この横アーチの頂点は、東洋医学の足のツボ（湧泉）にあたり、静脈、動脈及び神経が集中しているため、この場所に的確に刺激を与えると、足の疲れの回復促進や、下肢の血流促進の効果が得られる。
【０００６】
しかし、従来、その位置合わせは、技術者、職人などの技術経験をもとに、足裏の形状をフットプリント複写器等によって測定し、使用者による試用を何度も繰り返し、その際の感覚や違和感をもとに調整するという、試行錯誤の方法によって行っていたため、時間がかかり面倒であるという問題があった。
【０００７】
この問題を解決するために、本願出願人は、特許文献２において、加熱した熱可塑性樹脂製の足底板原板を人間の足底に対して相対的に押し付けて人間の足底アーチに対応する形状とし、さらに足底板原板を足底に押し付ける際に、足底アーチの横アーチの頂点に対応する部分の足底板原板を押し込むことによって横アーチの頂点に対応する凸部を形成する方法を開示した。この方法によれば、使用者の足に対応した足底板を容易に得ることができる。
【０００８】
ところが、使用者の足に対応した足底板が得られたとしても、この足底板を靴底又は靴底に敷くインソールに的確に位置合わせして装着しないと、横アーチの頂点の位置に対応するように形成した凸部が、靴を履いたときには実際の横アーチの頂点の位置からずれてしまい、この凸部による横アーチの頂点、すなわち湧泉部分の刺激効果が十分に得られなくなる。
【０００９】
この位置合わせの問題は、例えば女性用のパンプスのように、足底全体の大きさを有する足底板を装着することが困難で、足底アーチ部分（土踏まず部分）だけに対応できる大きさに形成した足底板を装着する場合に顕著となる。
【００１０】
従来、その位置合わせの方法としては、足底板を靴底又はインソールに仮に位置合わせし、使用者に試用してもらい、その際の感覚や違和感をもとに調整するという方法があるが、この方法では、時間がかかり面倒である。また、使用者が子供や高齢者の場合は、意志の表現力不足のため、正確な位置合わせができない。
【００１１】
したがって、本願出願人が特許文献２において開示した足底板の優れた効果をいかんなく発揮させ、またその普及を図っていくためには、足底板を靴底又はインソールに正確かつ簡単に位置合わせして装着できる方法の確立が望まれる。
【特許文献１】実用新案登録第３０５５３６８号公報
【特許文献２】国際公開第２００６／０５４３６９号パンフレット
【発明の開示】
【発明が解決しようとする課題】
【００１２】
本願発明が解決しようとする課題は、人間の足底アーチに対応する形状を有し、かつ足底アーチの横アーチの頂点に対応する部分に凸部を有する足底板を、靴底又は靴底に敷くインソールに正確かつ簡単に位置合わせして装着できる足底板の装着方法を提供することにある。
【課題を解決するための手段】
【００１３】
本発明は、人間の足底アーチに対応する形状を有し、かつ足底アーチの横アーチの頂点に対応する部分に凸部を有する足底板を、靴底又は靴底に敷くインソールに位置合わせして装着する足底板の装着方法であって、前記足底板の前記凸部と対応する形状を有し、かつ前記凸部の頂点に対応する位置に転写手段を有する凸部材を、前記転写手段の位置が横アーチの頂点の位置と一致するように人間の足底に貼着する工程と、前記凸部材を貼着した状態で、足底を靴底又はインソールに位置合わせして押圧することで、前記転写手段によって横アーチの頂点の位置を靴底又はインソールに転写する工程と、靴底又はインソールに転写された横アーチの頂点の位置と、前記足底板の前記凸部の頂点の位置が一致するように、前記足底板を靴底又はインソールに位置合わせして装着する工程とを含むことを特徴とするものである。
【００１４】
このように、実際の横アーチの頂点の位置を靴底又はインソールに転写し、その転写された横アーチの頂点の位置と、足底板の凸部の頂点の位置が一致するように、足底板を靴底又はインソールに位置合わせすることで、横アーチの頂点の位置と足底板の凸部の頂点の位置とを正確かつ簡単に合わせることができる。
【００１５】
本発明の方法で使用する転写手段は、人間の足底に貼着する凸部材の底面に設けることが好ましく、この場合、凸部材の底面が露出するように人間の足底に貼着する。
【００１６】
具体的な転写手段の形態としては突起が最も簡単で効果的である。すなわち、突起を設けた凸部材の底面が露出するように人間の足底に貼着し、その状態で足底を靴底又はインソールに位置合わせして押圧することで、転写手段である突起によって横アーチの頂点の位置が靴底又はインソールに凹状の転写痕として転写される。
【発明の効果】
【００１７】
本発明によれば、足底板に形成した凸部の頂点の位置が横アーチの頂点の位置に合うように、足底板を靴底又はインソールに正確かつ簡単に位置合わせして装着できる。したがって、歩行時に、横アーチの頂点、すなわち湧泉部分に的確に刺激を与えることができ、足の疲れの回復促進や、下肢の血流促進の効果が得られる。また、発明者の経験によると、血液中の血小板の酸欠状態の改善にも効果が見られ、手術後の縫合部の回復にも効果的である。
【００１８】
さらに、足底板に形成した凸部の頂点の位置が横アーチの頂点の位置に正確に合うので、健全な横アーチの保持あるいは更正にも効果があり、タコなどの防止にもつながる。
【発明を実施するための最良の形態】
【００１９】
以下、図面に示す実施例に基づき本発明の実施の形態を説明する。
【００２０】
図１〜図３は、本発明の足底板の装着方法における各工程を示す斜視図である。
【００２１】
本発明においては、まず図１に示すように、転写手段１ａを有する凸部材１を、転写手段１ａの位置が横アーチの頂点の位置と一致するように人間の足底に貼着する。
【００２２】
この凸部材１は図５に示すように、後述する足底板に形成する凸部と対応する形状の有し、その底面には前記凸部の頂点に対応する位置に転写手段１ａとして突起が設けられている。この凸部材１を足底に貼着する際には、図１に示すように、凸部材１の底面、すなわち転写手段１ａが露出するように貼着する。
【００２３】
次に、図２に示すように、凸部材１を貼着した状態で、足底をインソール２に位置合わせして押圧する。これによって、図３に示すように、インソール２の表面には、転写手段１ａに凹状の転写痕３が形成される。そして、この転写痕３の位置が横アーチの頂点の位置に対応する。
【００２４】
次に、図３に示すように、インソール２と足底板４の位置合わせを行う。ここで、この位置合わせの工程を説明する前に、この工程で使用する足底板４の構成を図６及び図７を参照して説明する。図６は足底板４の斜視図で、（ａ）は表面側から見た斜視図、（ｂ）は裏面側から見た斜視図である。図７は足底板４の断面図で、（ａ）は図６（ａ）のＡ−Ａ断面図、（ｂ）は図６（ａ）のＢ−Ｂ断面図である。
【００２５】
足底板４は、熱可塑性樹脂からなる足底板原板４ａを、人間の足底アーチに対応する形状に加工し、かつ足底アーチの横アーチの頂点に対応する部分に凸部４ｂを形成したものである。具体的には、熱可塑性樹脂からなる足底板原板４ａを温水加熱し柔らかくして使用者の足底に押し付けて使用者の足底アーチに対応する形状とし、さらに足底板原板４ａを足底に押し付ける際に、足底アーチの横アーチの頂点に対応する部分を指やへらによって押し込むことによって凸部４ｂを形成する。さらに、図６及び図７に示す足底板では、凸部４ｂの下には軟質ゴム等のクッション材４ｃが貼着されている。これによって凸部４ｂの復元力を強化しへたりにくくしている。また、凸部４ｂの頂点位置には、図７（ｂ）に示すように貫通穴４ｄが設けられている。なお、クッション材４ｃの底面には、貫通穴４ｄで交差する十字印が目印として付されている。
【００２６】
さらに、図７（ａ）に示すように、足底板４の足先側には足底の中足骨頭部、とくに第２及び第３の中足骨頭部の横アーチを支持するためにアーチ部４ｅが形成されている。そして、このアーチ部４ｅの下には軟質ゴム等のクッション材４ｆが貼着され、これによってアーチ４ｅの復元力を強化しへたりにくくしている。さらに、クッション材４ｆの下には、このクッション材４ｆより柔らかいクッション材４ｇが貼着されている。
【００２７】
図３に戻って、インソール２と足底板４の位置合わせの工程を説明する。インソール２には、先に図２で説明した工程を経ることによって、横アーチの頂点に対応する位置に転写痕３が付されている。そして、図３の工程では、横アーチの頂点に対応する転写痕３の位置と、足底板４の凸部４ｂの頂点の位置が一致するように、足底板４をインソール２に位置合わせする。具体的には、千枚通しのような鋭利で硬いピン部材５を用いて、インソール２の転写痕３部分を貫通させ、さらに足底板４の凸部の頂点に設けた貫通穴４ｄを貫通させる。これによって、インソール２の転写痕３の位置、すなわち横アーチの頂点の位置と、足底板４の凸部４ｂの頂点の位置とが一致した状態で、インソール２と足底板４とが位置合わせされる。そして、その位置で足底板４をインソール２に貼着することによって、図４に示すように、足底板４付きのインソール２が得られる。
【００２８】
この足底板４付きのインソール２を靴底に敷いて靴を履くと、足底板４の凸部４ｂの頂点が横アーチの頂点、すなわち湧泉部分を正確に刺激するので、先に説明したとおり、足の疲れの回復促進や、下肢の血流促進などの効果が得られる。
【００２９】
なお、以上の実施例では、足底板４をインソール２と位置合わせする例について説明したが、同様の要領で靴底と位置合わせすることができる。この場合は、図１に示すように凸部材１を足底に貼着した状態で、足底を靴底に位置合わせして押圧し、図３に示したような転写痕３を靴底に形成する。そして、この転写痕と足底板４の凸部４ｂの頂点の位置が一致するように、足底板を靴底に位置合わせして装着する。この場合、足底板４は靴底の上に装着される。
【００３０】
また、実施例では、転写手段として突起を使用したが、これに限定されるものではない。例えば、実施例で突起を設けた位置にインクを塗布して、このインクを転写するようにしてもよい。要するに、靴底又はインソールに押圧したときに何らかの転写痕ができるようなものであればよい。
【産業上の利用可能性】
【００３１】
本発明は、足底板を靴底又はインソールに装着する際の位置合わせ方法として利用可能であり、とくに足底アーチ部分（土踏まず部分）だけに対応できる大きさに形成した足底板と靴底又はインソールとの位置合わせに好適に利用可能である。
【図面の簡単な説明】
【００３２】
【図１】本発明の足底板の装着方法の第１工程を示す斜視図である。
【図２】本発明の足底板の装着方法の第２工程を示す斜視図である。
【図３】本発明の足底板の装着方法の第３工程を示す斜視図である。
【図４】本発明の足底板の装着方法によって得られた製品を示す斜視図である。
【図５】本発明の足底板の装着方法において使用する凸部材を示す斜視図である。
【図６】足底板の斜視図で、（ａ）は表面側から見た斜視図、（ｂ）は裏面側から見た斜視図である。
【図７】足底板の断面図で、（ａ）は図６（ａ）のＡ−Ａ断面図、（ｂ）は図６（ａ）のＢ−Ｂ断面図である。
【図８】人間の足底を示す側面図である。
【図９】人間の足底アーチを示す説明図である。
【符号の説明】
【００３３】
１  凸部材
１ａ  転写手段（突起）
２  インソール
３  転写痕
４  足底板
４ａ  足底板原板
４ｂ  凸部
４ｃ  クッション材
４ｄ  貫通穴
４ｅ  アーチ部
４ｆ、４ｇ  クッション材
５  ピン部材
６  踵骨
７  種子骨
【図１】
2008093116.tif 000003
【図２】
2008093116.tif 000004
【図３】
2008093116.tif 000005
【図４】
2008093116.tif 000006
【図５】
2008093116.tif 000007
【図６】
2008093116.tif 000008
【図７】
2008093116.tif 000009
【図８】
2008093116.tif 000010
【図９】
2008093116.tif 000011